(57)【要約】  パネル等の外装部材を車体部品（19）等の第三部材（17）に着脱自在に取り付けるための固定システムであって、間座体（3）を有する少なくとも1つのスペーサ（1）を有し、前記スペーサがその片面を固定手段によって前記外装部材に固着可能であり、またその反対面に係止ファスナー部品（7）を備えており、前記係止ファスナー部品が前記第三部材（17）に固着可能な対応する係止ファスナー部品（15）と着脱自在に係合可能であるものにおいて、前記間座体（3）の前記外装部材と結合されるべき側面の少なくとも1つの縁に平坦な格子（21）が隣接し、前記格子が前記外装部材と前記スペーサ（1）との間の結合領域を増大させることを特徴とする固定システム。  【選択図】図1
2014522947.tif 000002
【特許請求の範囲】
【請求項１】
パネル等の外装部材を車体部品（19）等の第三部材（17）に着脱自在に取り付けるための固定システムであって、間座体（3）を有する少なくとも1つのスペーサ（1）を有し、前記スペーサがその片面を固定手段によって前記外装部材に固着可能であり、またその反対面に係止ファスナー部品（7）を備えており、前記係止ファスナー部品が前記第三部材（17）に固着可能な対応する係止ファスナー部品（15）と着脱自在に係合可能であるものにおいて、前記間座体（3）の前記外装部材と結合されるべき側面の少なくとも1つの縁に平坦な格子（21）が隣接し、前記格子が前記外装部材と前記スペーサ（1）との間の結合領域を増大させることを特徴とする固定システム。
【請求項２】
前記格子（21）が前記矩形間座体（3）のすべての縁に隣接していることを特徴とする請求項1記載の固定システム。
【請求項３】
前記格子が前記スペーサ（1）と前記外装部材との結合領域の面積を前記間座体（3）の面積の2倍以上に増大させることを特徴とする請求項1または2記載の固定システム。
【請求項４】
前記格子（21）がその周面に連続的湾曲を有し、特に円形または長円形であることを特徴とする先行請求項のいずれか1項記載の固定システム。
【請求項５】
前記格子（21）が多角形であることを特徴とする先行請求項のいずれか1項記載の固定システム。
【請求項６】
前記多角形格子（21）が、内向きに開口した隅角（35）と外向きに開口した隅角（33）とを有することを特徴とする先行請求項のいずれか1項記載の固定システム。
【請求項７】
前記間座体（3）が前記格子（21）によって形成される結合領域の中央領域内に設けられていることを特徴とする先行請求項のいずれか1項記載の固定システム。
【請求項８】
前記間座体（3）が前記格子（21）によって形成される結合領域の中央領域の外側に設けられていることを特徴とする先行請求項のいずれか1項記載の固定システム。
【請求項９】
前記格子（21）が、互いに平行に延びる格子棒（23、25）から成る2つの交差する群によって形成されていることを特徴とする先行請求項のいずれか1項記載の固定システム。
【請求項１０】
前記格子棒（23、25）の前記群が直角に交差していることを特徴とする先行請求項のいずれか1項記載の固定システム。
【請求項１１】
前記格子（21）が前記間座体（3）に一体に成形されていることを特徴とする先行請求項のいずれか1項記載の固定システム。
【請求項１２】
前記外装部材と結合されるべき側面に前記間座体（3）は突出する平らな縁囲い（29）を有し、前記縁囲いに前記格子（21）が同一平面上で隣接していることを特徴とする先行請求項のいずれか1項記載の固定システム。
【請求項１３】
前記第1係止ファスナー部品（7）の前記基材層（9）は、前記掛合要素（11）とは反対の側面に、突出する保持鼻端（45）を有し、前記保持鼻端の釦状拡張部（47）によって前記箱体（41）内の条溝（49）の縁（50）は背後から把持可能であり、前記箱体は前記格子（21）の平面の上方にある底（43）と開口側面とを有する槽の態様の中空箱として形成されており、前記開口側面を通して前記保持鼻端（45）は前記箱体（41）の前記底（43）に形成された前記条溝（49）に差込可能であることを特徴とする先行請求項のいずれか1項記載の固定システム。
【発明の詳細な説明】
【技術分野】
【０００１】
本発明は、パネル等の外装部材を車体部品等の第三部材に着脱自在に取り付けるための固定システムであって、間座体を有する少なくとも1つのスペーサを有し、このスペーサがその片面を固定手段によって外装部材に固着可能であり、またその反対面に係止ファスナー部品を備えており、この係止ファスナー部品が第三部材に固着可能な対応する係止ファスナー部品と着脱自在に係合可能であるものに関する。
【背景技術】
【０００２】
先行技術によるこの種の固定システムが特許文献1に示されている。このような固定システムはなかんずく、例えば外見の美しくない箇所を覆い隠すために、規定可能な箇所に平面状化粧材を固着するのに役立ち、しかし断熱や防音にも利用することができる。自動車製造において例えば、車体部材としての板金部品を広い面で覆うためにパネル状外装部材が利用される。車体部材としてここでは例えば荷物室ドアに言及することができ、しかし車体フロアや車体天井にも言及することができる。言及した自動車分野の他にこのような固定システムは、類似の課題を解決しなければならない鉄道、船舶、航空機においても利用可能である。
【０００３】
固定システムが外装部材と第三部材との間で着脱自在な結合を可能とすることによって、例えば第三部材の内部に延設されるケーブル、空調ダクト、電子制御装置等の技術的諸機構は、必要なら、係止ファスナー部品を互いに係合解除し、すなわち係止ファスナー結合を解除して、各技術的機構を有する第三部材から外装部材を取り外すことによって良好に接近可能とすることができる。外装部材の確実な固定を保証する努力において今日の係止ファスナーは強い保持力に設計されている。しかしこのことが所要の固定信頼性を確保する一方、強い保持力のゆえに部材を取り外すときに諸困難の現れる虞がある。その際、不都合な事例において、係合した係止ファスナー部品の保持力が間座体の固定手段と外装部材との間で働く保持力よりも強いとき外装部材からの間座体の剥脱を生じることがある。
【先行技術文献】
【特許文献】
【０００４】
【特許文献１】国際公開第2009／097950号パンフレット
【発明の概要】
【発明が解決しようとする課題】
【０００５】
この問題性に鑑みて本発明の課題は、係止ファスナー部品に働く強い保持力にもかかわらず外装部材の安全な取去りを可能とする当該種類の固定システムを提供することである。
【課題を解決するための手段】
【０００６】
この課題が本発明によれば、請求項1の特徴をその総体として有する固定システムによって解決される。
【０００７】
請求項1の特徴部分によれば本発明の本質的特徴は、間座体の外装部材と結合されるべき側面の少なくとも1つの縁に平坦な格子が隣接し、この格子が外装部材とスペーサとの間の結合領域を増大させることにある。先行技術では固定手段として設けられる接着剤用に利用できるのは間座体の当該底面のみであるのに対して、間座体に側方で隣接する格子が存在すると第三部材との確実な結合を実現するための付加的可能性が切り開かれる。格子によって増大するのは結合面積自体だけでなく、相応する格子孔を有する格子構造は平滑面の間の接着結合と比較して別の効果的結合技術も可能とする。例えば格子は外装部材への注入積層または注入発泡または背面注入に適しており、その際に嵌合結合が実現する。ポリアミド系接着剤または合成ゴム系接着剤で接着結合する場合、接着剤が格子孔を通過することによってやはり嵌合結合が生じる。これにより、その都度固定されるべき部材が損なわれる虞なしに必要なら係止ファスナー結合は安全に脱離自在である。
【０００８】
主に格子は矩形間座体のすべての縁に隣接し、スペーサのすべての側面で結合領域が拡張されており、特別有利なことに格子の寸法はスペーサと外装部材との結合領域の面積を格子が間座体の面積の2倍以上に増大させるように選択されている。
【０００９】
格子の形状に関して、格子がその周面に連続的湾曲を有し、特に円形または長円形となるように、または格子が方形形状を有するように配置は行っておくことができる。方形形状を有する場合、幾つかが外向きに開口し、幾つかが内向きに開口した隅角が存在しているように格子は形成しておくこともでき、こうして相互に分離された複数の腕を有する格子が形成されている。
【００１０】
格子のその都度の輪郭形状にかかわりなく間座体は格子によって形成される結合領域の中央領域内にまたは中央領域の外側に設けておくことができる。
【００１１】
本来の格子構造に関して有利には、互いに平行に延びる格子棒から成る2つの交差する群によって格子が形成されているように配置は行っておくことができる。その際、格子棒の群は矩形格子孔が形成されているように直角に交差することができる。
【００１２】
特別有利には、格子は間座体に一体に成形しておくことができる。その際、間座体と格子とから成るユニットは均一な射出成形品、または紡織繊維またはガラス繊維織布または金属織布から成る挿入物を有するプラスチック部品とすることができる。
【００１３】
有利な実施形態において、外装部材と結合されるべき側面に間座体が、突出する平らな縁囲いを有し、この縁囲いに格子が同一平面上で隣接するように配置は行うこともできる。これにより、間座体の平らな底面を補足して外装部材用にこの底面を増大させる平らな当接面が形成されている。
【００１４】
以下、図面に示した実施例に基づいて本発明を詳しく説明する。
【図面の簡単な説明】
【００１５】
【図１】1実施形態の固定システムの主要部品を分解組立図で示す。
【図２】変更実施形態の固定システムのスペーサと付設された係止ファスナー部品のみの斜視図である。
【図３】他の実施形態のスペーサのみの斜視図である。
【図４】固定システムの実施諸例用のスペーサのさまざまな形状の選択を略図で示す。
【図５】固定システムの実施諸例用のスペーサのさまざまな形状の選択を略図で示す。
【図６】固定システムの実施諸例用のスペーサのさまざまな形状の選択を略図で示す。
【図７】固定システムの実施諸例用のスペーサのさまざまな形状の選択を略図で示す。
【図８】固定システムの実施諸例用のスペーサのさまざまな形状の選択を略図で示す。
【図９】他の実施形態の固定システムのスペーサの平面図である。
【図１０】図9の切断線X-Xに沿った断面図である。
【図１１】図9、図10に比べて拡大して示すスペーサの平面図であり、但し係止ファスナー部品は間座体の箱体から取り外されている。
【図１２】図11の箱体から取り外された係止ファスナー部品をその基材部品の下面を見て示す。
【発明を実施するための形態】
【００１６】
図1は図1で下側に示したスペーサ1から出発して全体として固定システムを構成する個別構成要素を示しており、このスペーサは固定手段を介して図示しない外装部材に固定可能である。スペーサ1は本来の間座体として矩形箱体3を有し、この箱体は第1係止ファスナー部品7を同一平面上で受容するための枠凹部5を備えており、第1係止ファスナー部品は基材層9に茸頭状掛合要素11を有する。これらの掛合要素は第2係止ファスナー部品15の対応する掛合要素11と掛合可能であり、第2係止ファスナー部品の基材層13は該当する第三部材17に固定されており、第三部材のうち図1には車体板金19の平面部分が例示的に示唆してある。先行技術におけると同様にスペーサ1の箱体3は、外装部材と第三部材17との間に所望するさまざまな大きさの間隔を実現するためにさまざまな構造高さに形成することができる。
【００１７】
本発明に係る固定システムではスペーサ1を（図示しない）外装部材に固着するための固定手段として平坦な格子21が設けられており、この格子は外装部材に向き合う側面が箱体3に隣接し、外装部材との結合領域を、箱体3の平面領域を越えて増大させる。図1の実施例において格子21は円形であり、箱体3が円中央領域に来るように箱体を取り囲んでいる。格子21は2群の格子棒23、25で形成されており、格子棒は直角またはほぼ直角に交差し、こうして格子棒23、25（図面にはすべてに符号が付けてあるのではない）と同様に矩形格子孔27が形成されている。格子21が比較的細かく形成されており、格子孔27の数は孔50個であり、或いは孔50個をはるかに上まわる。このような格子構造は、注入積層、注入発泡または背面注入によって外装部材と結合するのに特別良好に適している。接着剤も使用することができる。いずれにしても、格子孔27を貫通する材料または接着剤によって嵌合固定が生じる。ポリアミド系接着剤等の耐熱性ホットメルト接着剤も利用することができる。特別好ましくは箱体3はABS素材、特にPC-ABS素材（ポリカーボネートアクリロニトリルブタジエンスチレン素材）で構成されている。箱体3と格子21とを有するスペーサ1全体はプラスチック材料、例えばポリアミド6材料から一体な射出成形品として形成しておくことができる。均一な射出成形品の代わりに射出成形品は挿入物、例えば紡織繊維材料、ガラス繊維材料または金属織布を備えておくこともできる。
【００１８】
図2は変更実施形態を示す。この実施形態が第1例と相違する点として、格子21は隅を面取りした矩形形状を有する。第1実施例におけると同様に箱体3は格子21によって形成される結合領域内の中央に設けられている。他の違いは箱体3が第1例におけるよりも大きな構造高さを有することにある。さらに、格子21が箱体3に直接隣接するのでなく、箱体3は、外装部材と結合されるべき側面に、突出する平らな縁囲い29を有する。さらに、箱体3、縁囲い29および格子21を含むスペーサ1全体は単一の射出成形品として一体に形成されている。
【００１９】
図3の実施例において図2の例との違いは格子21が長円形であることにのみある。
【００２０】
結合領域を増大させる格子構造を利用可能とするために格子21は各種の輪郭形状を有することができる。箱体3も必ずしも各格子21の中央領域に設けておく必要がなく、同様に箱体3はそれ自身が（図示したように）正方形形状を有する必要がなく、例えば一層縦長の矩形形状とすることもできよう。図4〜図8は格子21の造形の可能なバリエーションの選択を明らかとする。図4は、格子21の略図の態様で、箱体3を中央領域に設けた細い長円形状を示している。それに対して図5の例は箱体3の位置が中央外である点で相違しているにすぎず、図6は図1と同様に箱体3を中央領域に設けられた円形格子21を示している。最後に図7と図8が示す例では、結合領域の中央領域に設けられた正方形形状の箱体3の各正方形側面から格子桁31が互いに直角に延び、格子21は外向きに開口した隅角33と内向きに開口した隅角35とを有する桁十字となっている。図7の例では桁31がそれぞれ同じ幅を有するのに対して、図8の例がそれと異なる点として図中垂直に延びる桁31は水平な桁31よりも細く、細い桁31の幅は箱体3の側長よりも小さい。
【００２１】
図9〜図12による他の実施形態では間座体を形成する箱体41が槽状中空箱の形状を有し、格子21より上にあるその底43が縁囲いを有しておらず、この底に係止ファスナー部品7の基材層9が固着可能である。このため基材層9は突出する保持鼻端45を有し、この保持鼻端は自由端に釦状拡張部47を有する。箱体41が底43に条溝49を有し、箱体41は条溝49がそれに向かって開口している側面が開口しており、保持鼻端45は条溝49に差込可能であり、釦状拡張部47は条溝49の縁50に被さり、こうして係止ファスナー部品7を嵌合式に箱体41に固着する。
【図１】
2014522947.tif 000003
【図２】
2014522947.tif 000004
【図３】
2014522947.tif 000005
【図４】
2014522947.tif 000006
【図５】
2014522947.tif 000007
【図６】
2014522947.tif 000008
【図７】
2014522947.tif 000009
【図８】
2014522947.tif 000010
【図９】
2014522947.tif 000011
【図１０】
2014522947.tif 000012
【図１１】
2014522947.tif 000013
【図１２】
2014522947.tif 000014
【国際調査報告】
2014522947.tif 000015
2014522947.tif 000016
2014522947.tif 000017
2014522947.tif 000018
2014522947.tif 000019